(57)【要約】【課題】フィット性が高く排泄物の漏れが生じ難い防漏壁部を備えたパンツ型おむつを提供する。【解決手段】吸収性本体（１０）と、吸収性本体（１０）よりも厚さ方向の非肌側に設けられた外装体（２０）と、を有するパンツ型使い捨ておむつ（１）であって、吸収性本体（１０）の幅方向の両側には、防漏壁部（４０）が設けられており、防漏壁部（４０）は、長手方向における両端部が吸収性本体（１０）に対して起立不能に固定された両端固定部（４２）と、長手方向において両端固定部（４２）の間で、厚さ方向の肌側に起立可能な起立部（４３）と、を有し、起立部（４３）の一部を外装体（２０）に剥離可能に接合する接合部（６０）を有し、パンツ型使い捨ておむつ（１）が着用された後で、接合部（６０）が剥離されることによって、一部が起立可能となる。【選択図】図４
2020103720.tif 000002
【特許請求の範囲】
【請求項１】
展開状態において、互いに交差する長手方向と、幅方向と、厚さ方向と、を有し、
吸収性本体と、前記吸収性本体よりも前記厚さ方向の非肌側に設けられた外装体と、を有するパンツ型使い捨ておむつであって、
前記吸収性本体の前記幅方向の両側には、防漏壁部が設けられており、
前記防漏壁部は、
前記長手方向における両端部が前記吸収性本体に対して起立不能に固定された両端固定部と、
前記長手方向において前記両端固定部の間で、前記厚さ方向の肌側に起立可能な起立部と、
を有し、
前記起立部の一部を前記外装体に剥離可能に接合する接合部を有し、
前記パンツ型使い捨ておむつが着用された後で、前記接合部が剥離されることによって、前記一部が起立可能となる、ことを特徴とするパンツ型使い捨ておむつ。
【請求項２】
請求項１に記載のパンツ型使い捨ておむつであって、
前記接合部は、前記起立部と前記外装体とを剥離可能に接着する接着材によって形成されている、ことを特徴とするパンツ型使い捨ておむつ。
【請求項３】
請求項２に記載のパンツ型使い捨ておむつであって、
前記接合部を剥離させたときに、
前記起立部に付着している前記接着材の単位面積当たりの量は、
前記外装体に付着している前記接着材の単位面積当たりの量よりも多い、ことを特徴とするパンツ型使い捨ておむつ。
【請求項４】
請求項１〜３のいずれか１項に記載のパンツ型使い捨ておむつであって、
前記外装体は、着用者の腹側に配置される前側ベルト部と、前記着用者の背側に配置される後側ベルト部と、を有し、
前記幅方向の両側において、前記前側ベルト部と前記後側ベルト部とを係止する係止部を有し、
前記長手方向において、前記係止部の内側端よりも内側に、前記接合部が位置している、ことを特徴とするパンツ型使い捨ておむつ。
【請求項５】
請求項１〜４のいずれか１項に記載のパンツ型使い捨ておむつであって、
前記外装体は、少なくとも前記接合部が設けられている部分において、前記幅方向の伸縮性を有している、ことを特徴とするパンツ型使い捨ておむつ。
【請求項６】
請求項１〜５のいずれか１項に記載のパンツ型使い捨ておむつであって、
前記接合部の前記長手方向における長さは、
前記接合部の前記幅方向における長さよりも長い、ことを特徴とするパンツ型使い捨ておむつ。
【請求項７】
請求項６に記載のパンツ型使い捨ておむつであって、
前記接合部の前記長手方向の外側端における前記幅方向の長さは、
前記接合部の前記長手方向の内側端における前記幅方向の長さよりも短い、ことを特徴とするパンツ型使い捨ておむつ。
【請求項８】
請求項１〜７のいずれか１項に記載のパンツ型使い捨ておむつであって、
前記防漏壁部は、前記長手方向に沿って伸縮する弾性部材を有し、
前記長手方向において、前記弾性部材による伸縮性が発現している領域と、前記接合部とが重複している、ことを特徴とするパンツ型使い捨ておむつ。
【請求項９】
請求項１〜８のいずれか１項に記載のパンツ型使い捨ておむつであって、
前記接合部は、前記幅方向において、前記防漏壁部の先端から所定の距離を置いて設けられている、ことを特徴とするパンツ型使い捨ておむつ。
【請求項１０】
請求項９に記載のパンツ型使い捨ておむつであって、
前記防漏壁部の少なくとも一部は、前記長手方向に沿った折り曲げ線にて、前記幅方向の外側から内側に折り返されており、
前記接合部は、前記幅方向において、前記折り曲げ線から所定の距離を置いて設けられている、ことを特徴とするパンツ型使い捨ておむつ。
【発明の詳細な説明】
【技術分野】
【０００１】
本発明は、パンツ型使い捨ておむつに関する。
【背景技術】
【０００２】
従来、パンツ型形状の使い捨ておむつが知られている。例えば、特許文献１には、環状に連続する胴回り部を有する外装体と、当該外装体の前身頃から股間部を経て後見頃へと延びる吸収性本体（内層体）とを有するパンツ型使い捨ておむつが開示されている。そして、特許文献１のパンツ型おむつでは、内層体と外装体とを接合する接合部が、内層体の幅方向の両端部よりも中心方向に狭くなっていることにより、おむつの装着時において、装着者が脚回り開口に脚を通す際におむつの股間部に脚が引っかかり難くなっている。
【先行技術文献】
【特許文献】
【０００３】
【特許文献１】特開２０１８‐３３７４９号公報
【発明の概要】
【発明が解決しようとする課題】
【０００４】
パンツ型おむつには、吸収性本体の幅方向両側に、長手方向に沿った防漏壁部を備えているものがある。おむつ着用時には、防漏壁部が肌側に起立することによって、尿等の排泄物が吸収性本体の幅方向外側に漏れてしまうこと（横漏れ）が抑制される。しかしながら、特許文献１のように、吸収性本体（内層体）と外装体との接合範囲が狭い場合、おむつ着用時に外装体の胴回り開口を幅方向外側に広げる際に、外装体と防漏壁部（吸収性本体）とが連動しにくく、防漏壁部の頂点が十分に外側に広がらずに排泄物が漏れやすくなったり、フィット性が悪化したりするおそれがある。一方、吸収性本体（内層体）と外装体との接合範囲を広くすると、防漏壁部のうち外装体と接合されている範囲が大きくなるため、防漏壁部の起立可能高さが低くなるおそれがある。この場合にも、排泄物が漏れやすくなったり、フィット性が悪化したりするおそれがある。
本発明は、上記のような問題に鑑みてなされたものであって、その目的とするところは、フィット性が高く排泄物の漏れが生じ難い防漏壁部を備えたパンツ型おむつを提供することにある。
【課題を解決するための手段】
【０００５】
上記目的を達成するための主たる発明は、展開状態において、互いに交差する長手方向と、幅方向と、厚さ方向と、を有し、吸収性本体と、前記吸収性本体よりも前記厚さ方向の非肌側に設けられた外装体と、を有するパンツ型使い捨ておむつであって、前記吸収性本体の前記幅方向の両側には、防漏壁部が設けられており、前記防漏壁部は、前記長手方向における両端部が前記吸収性本体に対して起立不能に固定された両端固定部と、前記長手方向において前記両端固定部の間で、前記厚さ方向の肌側に起立可能な起立部と、を有し、前記起立部の一部を前記外装体に剥離可能に接合する接合部を有し、前記パンツ型使い捨ておむつが着用された後で、前記接合部が剥離されることによって、前記一部が起立可能となる、ことを特徴とするパンツ型使い捨ておむつである。
本発明の他の特徴については、本明細書及び添付図面の記載により明らかにする。
【発明の効果】
【０００６】
本発明によれば、フィット性が高く排泄物の漏れが生じ難い防漏壁部を備えたパンツ型おむつを提供することができる。
【図面の簡単な説明】
【０００７】
【図１】パンツ型使い捨ておむつ１の概略斜視図である。
【図２】展開且つ伸長状態のおむつ１の概略平面図である。
【図３】吸収性本体１０の概略平面図及び概略断面図である。
【図４】おむつ１の吸収性本体１０（内層体）と、外装体２０との接合状態について説明する概略平面図である。
【図５】図４のＡ−Ａ断面について表す概略断面図である。
【図６】おむつ１の着用時において、接合部６０が剥離されたときの防漏壁部４０の状態について説明する概略断面図である。
【図７】図７Ａ〜図７Ｃは、歩行動作によって接合部６０が剥離することについて説明する図である。
【図８】接合部６０の形状の変形例について表す概略平面図である。
【発明を実施するための形態】
【０００８】
本明細書及び添付図面の記載により、少なくとも以下の事項が明らかとなる。
展開状態において、互いに交差する長手方向と、幅方向と、厚さ方向と、を有し、吸収性本体と、前記吸収性本体よりも前記厚さ方向の非肌側に設けられた外装体と、を有するパンツ型使い捨ておむつであって、前記吸収性本体の前記幅方向の両側には、防漏壁部が設けられており、前記防漏壁部は、前記長手方向における両端部が前記吸収性本体に対して起立不能に固定された両端固定部と、前記長手方向において前記両端固定部の間で、前記厚さ方向の肌側に起立可能な起立部と、を有し、前記起立部の一部を前記外装体に剥離可能に接合する接合部を有し、前記パンツ型使い捨ておむつが着用された後で、前記接合部が剥離されることによって、前記一部が起立可能となる、ことを特徴とするパンツ型使い捨ておむつ。
【０００９】
このようなパンツ型使い捨ておむつによれば、着用時に、防漏壁部（起立部）が外装体と共に幅方向の外側に引っ張られることで、起立部が着用者の股下部にフィットしやすく、また、起立部が内側に倒れてしまうことが抑制される。そして、着用後に接合部が剥離することで、防漏壁部（起立部）の起立高さが確保され、排泄物の横漏れ等を抑制できる。これにより、フィット性が高く排泄物の漏れが生じ難い防漏壁部を備えたパンツ型おむつを提供することができる。
【００１０】
かかるパンツ型使い捨ておむつであって、前記接合部は、前記起立部と前記外装体とを剥離可能に接着する接着材によって形成されている、ことが望ましい。
【００１１】
このようなパンツ型使い捨ておむつによれば、起立部や外装体を損壊させることなく、両者を容易に離脱させることができる。また、接着材の塗布量や塗布範囲を変更することによって、接合部の接合強度を自在に調整することができる。これにより、着用後に接合部を剥離させやすくすることができる。したがって、防漏壁部のフィット性を高めつつ、排泄物の漏れを生じ難くすることができる。
【００１２】
かかるパンツ型使い捨ておむつであって、前記接合部を剥離させたときに、前記起立部に付着している前記接着材の単位面積当たりの量は、前記外装体に付着している前記接着材の単位面積当たりの量よりも多い、ことが望ましい。
【００１３】
このようなパンツ型使い捨ておむつによれば、接合部を剥離させたときに、防漏壁部を構成するシート部材から繊維が引き剥がされ難くなる。すなわち、防漏壁部において引き剥がされる繊維量が、外装体において引き剥がされる繊維量よりも少なくなる。これにより、防漏壁部の強度が低下し難くなり、着用時に防漏壁部が破れてしまうこと等を抑制することができる。
【００１４】
かかるパンツ型使い捨ておむつであって、前記外装体は、着用者の腹側に配置される前側ベルト部と、前記着用者の背側に配置される後側ベルト部と、を有し、前記幅方向の両側において、前記前側ベルト部と前記後側ベルト部とを係止する係止部を有し、前記長手方向において、前記係止部の内側端よりも内側に、前記接合部が位置している、ことが望ましい。
【００１５】
このようなパンツ型使い捨ておむつによれば、着用者が脚を前後に動かす際の付け根となる位置である係止部の長手方向の内側端よりも内側（上下方向の下側）に接合部が設けられていることにより、着用者の脚の動きが接合部に作用しやすい。したがって、着用後に、着用者が脚を動かすことによって、接合部を自然に剥離させやすくなる。
【００１６】
かかるパンツ型使い捨ておむつであって、前記外装体は、少なくとも前記接合部が設けられている部分において、前記幅方向の伸縮性を有している、ことが望ましい。
【００１７】
このようなパンツ型使い捨ておむつによれば、外装体を着用者の胴回りにしっかりとフィットさせることができる。したがって、吸収性本体が長手方向に引っ張られたときであっても、外装体の位置ずれが生じ難く、吸収性本体による長手方向の引っ張り力を接合部に作用させやすくすることができる。したがって、着用者の脚の動きによって、接合部をより剥離させやすくすることができる。
【００１８】
かかるパンツ型使い捨ておむつであって、前記接合部の前記長手方向における長さは、前記接合部の前記幅方向における長さよりも長い、ことが望ましい。
【００１９】
このようなパンツ型使い捨ておむつによれば、接合部の幅方向における長さ（幅）が短い縦長の形状であることにより、接合部に対して長手方向に引っ張る力が作用したときに、長手方向の端部における抵抗が小さく、接合部が容易に剥がれ易くなる。これにより、着用者の脚の動きによって、接合部の全体を剥離させやすくすることができる。
【００２０】
かかるパンツ型使い捨ておむつであって、前記接合部の前記長手方向の外側端における前記幅方向の長さは、前記接合部の前記長手方向の内側端における前記幅方向の長さよりも短い、ことが望ましい。
【００２１】
このようなパンツ型使い捨ておむつによれば、長手方向において接合部の外側端を内側に引っ張る力が作用した際に、該外側端が小さな力でも剥がれやすくなり、剥離の起点を形成しやすくすることができる。
【００２２】
かかるパンツ型使い捨ておむつであって、前記防漏壁部は、前記長手方向に沿って伸縮する弾性部材を有し、前記長手方向において、前記弾性部材による伸縮性が発現している領域と、前記接合部とが重複している、ことが望ましい。
【００２３】
このようなパンツ型使い捨ておむつによれば、弾性部材によって発現する長手方向に沿った伸縮力が、接合部にも作用するようになる。したがって、防漏壁部が長手方向に引っ張られる際に、弾性部材による伸縮力（収縮力）が加わることで、接合部に対して長手方向に沿ってより大きな力が作用するようになる。これにより、接合部をより剥離させやすくすることができる。
【００２４】
かかるパンツ型使い捨ておむつであって、前記接合部は、前記幅方向において、前記防漏壁部の先端から所定の距離を置いて設けられている、ことが望ましい。
【００２５】
このようなパンツ型吸収性物品によれば、接合部と防漏壁部の先端部とが接触し難くなるため、先端部がべたついてしまうことを抑制できる。これにより、着用者に不快感（べたつき）を感じさせ難くすることができる。
【００２６】
かかるパンツ型使い捨ておむつであって、前記防漏壁部の少なくとも一部は、前記長手方向に沿った折り曲げ線にて、前記幅方向の外側から内側に折り返されており、前記接合部は、前記幅方向において、前記折り曲げ線から所定の距離を置いて設けられている、ことが望ましい。
【００２７】
このようなパンツ型使い捨ておむつによれば、防漏壁の起立部のうち、折り曲げ線よりも内側の部分を外装体と接合させつつ、接合部と防漏壁部の先端部とが接触することを抑制することができる。これにより、起立部が幅方向の内側に倒れてしまうことを抑制すると共に、着用者に不快感（べたつき）を感じさせ難くすることができる。
【００２８】
＝＝＝実施形態＝＝＝
パンツ型使い捨ておむつとして、大人向けのパンツ型使い捨ておむつ（以下、単に「おむつ１」とも呼ぶ）を例に挙げて実施形態を説明する。ただしこれに限定されず、本発明に係るパンツ型使い捨ておむつは、例えば子供向け（乳幼児用）の使い捨ておむつや生理用ショーツ等としても適用できる。
【００２９】
＜おむつ１の基本構成＞
図１は、パンツ型使い捨ておむつ１の概略斜視図である。図２は、展開且つ伸長状態のおむつ１の概略平面図である。なお、おむつ１の伸長状態とは、おむつ１を皺なく伸長させた状態であり、おむつ１を構成する各部材（例えば、後述する外装体２０を構成するシート等）の寸法がその部材単体の寸法と一致又はそれに近い長さになるまで伸長した状態である。
【００３０】
パンツ型状態のおむつ１は、図１に示されるように互いに交差する上下方向、左右方向、及び、前後方向を有する。また、図２に示されるようにおむつ1を展開した状態において、互いに交差する長手方向、幅方向、及び厚さ方向を有する。長手方向は、パンツ型状態の上下方向に沿った方向である。幅方向は、パンツ型状態の左右方向と同じ方向である。厚さ方向は、おむつ１を構成する各部材が積層されている方向である。上下方向において、着用者の胴側となる側を上側とし、着用者の股下となる側を下側とする。前後方向において、着用者の腹側となる側を前側とし、着用者の背側となる側を後側とする。厚さ方向において、着用者に接する側を肌側とし、その反対側を非肌側とする。
【００３１】
おむつ１は、吸収性本体１０（おむつ１の内層体に相当する）と、吸収性本体１０の非肌側に位置する外装体２０とを有している。外装体２０は、着用者の腹側に配置される前側ベルト部２１（ベルト部）と、着用者の背側に配置される後側ベルト部２２（ベルト部）と、それらを繋ぐ股下部２３とを有している。
【００３２】
なお、本実施形態のおむつ１では外装体２０が３部材（前側ベルト部２１、後側ベルト部２２、及び、股下部２３）から構成されているが、これに限らない。例えば、前側ベルト部２１、後側ベルト部２２、及び、股下部２３が連続した１部材で構成されていても良い。また、股下部２３を有さない構成としても良い。
【００３３】
図２に示す展開状態のおむつ１では、吸収性本体１０の長手方向の一端側（前側）に、前側ベルト部２１が位置し、吸収性本体１０の長手方向の他端側（後側）に、後側ベルト部２２が位置している。展開状態のおむつ１において、吸収性本体１０が長手方向の略中央で２つ折りされ、前側ベルト部２１の幅方向（左右方向）の両側部と後側ベルト部２２の幅方向（左右方向）の両側部とが溶着等で係止され、一対の係止部２４が形成されることにより、図１に示すパンツ型となる。これにより、吸収性本体１０の長手方向がおむつ１の上下方向に沿うと共に、前側ベルト部２１と後側ベルト部２２とが環状に繋り、その上端に胴回り開口１ａが形成され、また、左右方向の両側に一対の脚回り開口１ｂが形成される。
【００３４】
図３は、吸収性本体１０の概略平面図及び概略断面図である。吸収性本体１０は、図３に示すように、吸収性コア１１と、吸収性コア１１の肌側に位置する液透過性のトップシート１２と、吸収性コア１１の非肌側に位置するバックシート１３とを有している。バックシート１３は、液不透過性シート１３ａ、及び、その非肌側に配された液透過性シート１３ｂの二層構造である。
【００３５】
吸収性コア１１は、尿等の排泄液を吸収して保持する部材であり、例えば高吸収性ポリマー（ＳＡＰ）が混入したパルプ繊維等の液体吸収性繊維により形成される。図示しないが、吸収性コア１１は、ティッシュペーパーや不織布等の液透過性のシートによって、外周面が覆われていても良い。
【００３６】
また、液透過性シート１３ｂは、幅方向において吸収性コア１１よりも外側に延出する部分を有しており、当該延出した部分が、長手方向に沿った折り曲げ線ｆ１（図３では幅方向の外側端の位置）において幅方向の内側且つ厚さ方向の肌側に折り返されることにより、防漏壁部４０を形成している。この防漏壁部４０は、吸収性本体１０の幅方向の両側に、長手方向に沿って一対ずつ設けられており、さらに、長手方向に伸縮する複数の防漏壁弾性部材４１,４１…を備えている。そして、長手方向の両端部には両端固定部４２,４２が設けられている。両端固定部４２では、ホットメルト接着剤等の接着材によって、防漏壁部４０が吸収性本体１０（トップシート１２）に対して起立不能に固定されている。
【００３７】
一方、長手方向における両端固定部４２,４２の間の領域は、おむつ１の着用時において、防漏壁弾性部材４１が発現する伸縮性に基づいて、防漏壁部４０の頂点部４０ｅｔが着用者の肌側に向けて起立可能となる。以下、防漏壁部４０のうち、長手方向において両端固定部４２,４２の間で、厚さ方向の肌側に起立可能な領域を起立部４３とする。おむつ１の着用時には、吸収性本体１０の幅方向両側から防漏壁部４０の起立部４３が肌側に起立することによって、尿等の排泄物が吸収性本体１０（吸収性コア１１）から幅方向の外側に移動することが抑制される。これにより、おむつ１の外部に排泄物が漏出すること（すなわち、排泄物の横漏れ）を抑制できる。なお、本実施形態では、吸収性本体１０を構成する液透過性シート１３ｂ（バックシート１３）によって防漏壁部４０が形成されているが、他のシート部材によって防漏壁部４０が形成されていても良い。
【００３８】
前側ベルト部２１、及び、後側ベルト部２２は、それぞれ図２に示すように、上下方向において係止部２４と重複する部位である胴回り領域２１１，２２１と、胴回り領域２１１，２２１よりも下側の股下側領域２１２，２２２とを有している。
【００３９】
股下側領域２１２，２２２は略台形形状を成し、下側に向かうにつれて横幅（左右方向の長さ）が狭くなっている。また、前側ベルト部２１に比べて後側ベルト部２２の方が、股下側領域２２２が大きく、着用者の臀部を被覆可能となっている。
【００４０】
前側ベルト部２１、後側ベルト部２２、股下部２３は、それぞれ肌側シート２１３，２２３，２３１と、非肌側シート２１４，２２４，２３２と、それらの間に位置する伸縮性不織布２１５，２２５，２３３とが厚さ方向に積層されることによって形成されている。さらに、図２に示されるように、肌側シート２１３（２２３）と非肌側シート２１４（２２４）との厚さ方向の間に、幅方向（左右方向）に延びる帯状の伸縮性フィルム３１が設けられていても良い。伸縮性不織布２１５，２２５及び伸縮性フィルム３１は、少なくともおむつ１の左右方向に伸縮するシートである。前側ベルト部２１及び後側ベルト部２２は、これらの伸縮性部材によって、幅方向（左右方向）に対する伸縮性を有している。
【００４１】
肌側シート２１３，２２３，２３１及び非肌側シート２１４，２２４，２３２としては、スパンボンド不織布やＳＭＳ不織布等により形成された柔軟なシートを例示できる。また、伸縮性不織布２１５，２２５，２３３としては、弾性を有する熱可塑性エラストマーの一種であるポリウレタン系エラストマーの伸縮性繊維、及び、非弾性を有する熱可塑性樹脂の一種であるポリオレフィン系樹脂のポリプロピレン（ＰＰ）の非伸縮性繊維に、ギア延伸等の適宜な延伸処理が施された不織布を例示できる。また、伸縮性フィルム３１としては、ウレタンやスチレンのようなエラストマー樹脂を溶融し、均一厚さのシート状とした伸縮性を有する弾性部材を例示できる。
【００４２】
図４は、おむつ１の吸収性本体１０（内層体）と、外装体２０との接合状態について説明する概略平面図である。図５は、図４のＡ−Ａ断面について表す概略断面図である。吸収性本体１０は、図４の斜線部で示される本体固定部５０を介して外装体２０の肌側面に接合・固定されている。本体固定部５０は、外装体２０の肌側、若しくは吸収性本体１０の非肌側の所定の領域に、ホットメルト接着剤等の接着材Ａ１を塗布することによって形成されている。
【００４３】
また、防漏壁部４０の起立部４３の一部の領域が、接合部６０によって外装体２０に接合されている。接合部６０は、長手方向の前側に設けられた１対の前側接合部６１、及び、１対の後側接合部６２を有している。前側接合部６１は、図４及び図５に示されるように、長手方向の中心よりも前側（腹側）且つ幅方向の両端部において、長手方向に沿った帯状の領域であり、起立部４３の非肌側面と、前側ベルト部２１の肌側面とを互いに接合している。同様に、後側接合部６２は、長手方向の中心よりも後側（背側）且つ幅方向の両端部において、長手方向に沿った帯状の領域であり、起立部４３の非肌側面と、後側ベルト部２２の肌側面とを互いに接合している。
【００４４】
接合部６０は、起立部４３の非肌側の所定の領域に、ホットメルト接着剤等の接着材Ａ２を塗布することによって形成されている。本実施形態において、接合部６０を形成する接着材Ａ２と、本体固定部５０を形成する接着材Ａ１とは異なる接着材であり、本体固定部５０と接合部６０とはそれぞれ接合強度が異なっている。具体的に、接合部６０は、起立部４３と外装体２０とを剥離可能に接合し、本体固定部５０は、吸収性本体１０と外装体２０とを剥離不能に接合している。
【００４５】
ここで、「剥離可能」な接合強度とは、起立部４３（防漏壁部４０）及び外装体２０を構成するシート部材が破れたり、各々の機能を発揮できなくなるほど損壊させたりすることなく、接合部６０を引き剥がすことができる程度の接合強度である。すなわち、接合部６０は起立部４３と外装体２０とを仮止めするための接合部であり、接合部６０を剥がした場合であっても、外装体２０及び起立部４３（防漏壁部４０）の機能を維持することが可能である。
【００４６】
一方、「剥離不能」な接合強度とは、本体固定部５０を剥がした場合に、吸収性本体１０や外装体２０を構成するシート部材が破れたり、機能を維持できなくなるほど損壊したりする程度の接合強度である。
【００４７】
接合部６０を形成する接着材Ａ２としては、例えば、ヘンケルシ゛ャハ゜ン(株)製のＭＱ６９９を使用することが可能である。そして、設定温度を１５０℃として、対象箇所に２０ｇ／ｍ２以下の目付量でＭＱ６９９を塗工することにより、剥離可能な接合部６０を形成することができる。さらに、接着材Ａ２としては、なるべくタック力の低い接着材を選定することが望ましい。本実施形態では、ＭＱ６９９のようなタック力の低い接着材を使用することにより、接合部６０を剥離させた後で、接合部６０を形成していた接着材Ａ２が着用者の肌や衣服に再接着してしまうこと等を抑制できる。
【００４８】
また、本実施形態において、接着材Ａ２の塗工幅（接合部６０の幅Ｗ６０に相当）は、なるべく狭いことが望ましい。例えば、図４では、塗工幅（Ｗ６０）を２ｍｍ程度としている。塗工幅を狭くして接合強度を低くすることにより、接合部６０を剥離させやすくすることができる。なお、塗工幅を広くする場合には、その分接着材Ａ２の目付量を下げることが望ましい。さらに、各々の接合部６０を、複数の領域に分割して形成するようにしても良い。例えば、幅４ｍｍ分の接合部６０を形成する場合、幅４ｍｍの１本の帯状領域に接着材Ａ２を塗工するよりも、幅２ｍｍの２本の帯状領域に分割して接着材Ａ２を塗工すると良い。すなわち、長手方向に沿った幅狭の帯状領域が、幅方向に所定の間隔を空けて複数並ぶように接合部を形成すると良い。これにより、帯状領域１本あたりの接合強度をより低くすることができるため、おむつ１の着用前に剥離し難く、着用後に剥離しやすい接合部６０を形成することができる。
【００４９】
一方、本体固定部５０を形成する接着材Ａ１としては、例えば、ヘンケルシ゛ャハ゜ン(株)製のＭＱ７８３７ＥＫを使用することが可能である。そして、対象箇所に８〜１０ｇ／ｍ２程度の目付量でＭＱ７８３７ＥＫを塗工することにより、一旦接合した後は剥離不能な本体固定部５０を形成することができる。
【００５０】
＜おむつ１の着用時について＞
パンツ型状態のおむつ１を着用する際には、ベルト部２１，２２を左右方向の両側に引っ張って胴回り開口１ａを広げ、胴回り開口１ａから一対の脚回り開口１ｂへと着用者の両脚を通しつつ、おむつ１をつま先側から股下側まで引き上げる動作が行われる。そして、着用者の股下部に吸収性本体１０をフィットさせると共に、防漏壁部４０を起立させて着用者の鼠蹊部に沿ってフィットさせる動作が行われる。
【００５１】
しかしながら、従来のパンツ型おむつでは、着用時にベルト部（外装体）を左右方向の両側に引っ張る際に、ベルト部が左右方向の外側に広がるのに対して、一対の防漏壁部は左右方向の外側に広がらず、該防漏壁部を着用者の鼠蹊部にフィットさせることが困難であった。つまり、防漏壁部とベルト部とが接合されていないため、防漏壁部とベルト部との動きが連動せず、ベルト部が左右方向の外側に広げられた場合であっても、防漏壁部の位置は変動し難く、着用者の鼠蹊部の位置に合わせることが難しかった。また、防漏壁部の頂点部が左右方向の内側に倒れてしまい、防漏壁部が起立し難くなる場合があった。そのため、従来のおむつでは、フィット性が悪化したり、排泄部の横漏れが生じたりするおそれがあった。
【００５２】
これに対して、本実施形態のおむつ１では、図５に示されるように、防漏壁部４０の起立部４３の一部と、外装体２０とが接合部６０によって互いに接合されている。したがって、おむつ１の着用動作時に、外装体２０（前側ベルト部２１及び後側ベルト部２２）が左右方向（幅方向）の両側に引っ張られると、外装体２０に連動して一対の防漏壁部４０，４０が左右方向の外側に広げられる。すなわち、一対の防漏壁部４０，４０の頂点部４０ｅｔ，４０ｅｔの左右方向（幅方向）における間隔が広げられ、着用者の股下部を挟んで、鼠蹊部にフィットさせやすくすることができる。また、防漏壁部４０，４０が左右方向の両側に引っ張られることにより、頂点部４０ｅｔが内側に倒れてしまうことが抑制され、防漏壁部４０（頂点部４０ｅｔ）を起立させやすくすることができる。
【００５３】
一方、おむつ１を着用した後で、防漏壁部４０の起立部４３の一部が外装体２０に接合されたままであると、当該接合されている部分では、起立部４３の肌側への起立が制限されるため、防漏壁部４０の起立可能な高さが低くなってしまうおそれがある。
【００５４】
そこで、本実施形態のおむつ１では、おむつ１が着用された後で、起立部４３の一部と外装体２０とを接合する接合部６０を剥離させる。図６は、おむつ１の着用時において、接合部６０が剥離されたときの防漏壁部４０の状態について説明する概略断面図である。接合部６０が剥離されると、防漏壁部４０の起立部４３は、図６のように本体固定部５０若しくは吸収性コア１１の幅方向外側端付近の位置を起立基部４０ｂとして、起立基部４０ｂと頂点部４０ｅｔとの間の部分が肌側に起立可能となる。なお、接合部６０を剥がした場合であっても、上述したように、外装体２０及び防漏壁部４０（起立部４３）は損壊することなく、機能を維持することができる。これにより、おむつ１の着用時において、防漏壁部４０（起立部４３）の起立高さが十分に確保され、横漏れ等を生じ難くすることができる。
【００５５】
なお、接合部６０は、着用者等が両手でそれぞれ起立部４３と外装体２０とを掴んで引っ張ることにより、簡単に剥離させることが可能である。また、本実施形態では、着用者等が意図して接合部６０を剥がす動作を行わない場合であっても、おむつ１を着用した状態で着用者が両脚を動かす動作（例えば、歩行等）を行うことにより、自然に剥がれるようになっている。
【００５６】
図７Ａ〜図７Ｃは、歩行動作によって接合部６０が剥離することについて説明する図である。図７Ａは、着用者がおむつ１を着用した状態について表す概略側面図である。同図７Ａでは、着用者の股下部に沿って吸収性本体１０及び防漏壁部４０が設けられており、吸収性本体１０よりも肌側に外装体２０（前側ベルト部２１及び後側ベルト部２２）が設けられている。また、防漏壁部４０は、前側上端部において、前側接合部６１を介して前側ベルト部２１と接合されている。同様に、後側上端部において、後側接合部６２を介して後側ベルト部２２と接合されている。
【００５７】
図７Ｂは、図７Ａの状態から、着用者が左脚を前方に振り出したときの様子、すなわち、着用者が左脚から歩行動作を開始したときの様子について表している。着用者が左脚を前側に振り出す動作を行うと、左脚の動きに従って吸収性本体１０及び防漏壁部４０が全体として前側に引っ張られる。このとき、後側ベルト部２２は、伸縮性不織布２２５や伸縮性フィルム３１（図７Ｂでは不図示）によって作用する左右方向の収縮力によって、着用者の背側にフィットした状態が保たれ、位置ずれは生じ難い。したがって、防漏壁部４０は、後側ベルト部２２に対して長手方向の前側（腹側）に相対的に移動するように引っ張られる。そして、このような引っ張り力が着用者の左脚側に配置された後側接合部６２に作用することにより、後側接合部６２が剥離し、防漏壁部４０（起立部４３）と後側ベルト部２２との接合が解除される。
【００５８】
続いて、図７Ｃは、図７Ｂの状態から、着用者が左脚を後側に戻したときの様子、すなわち、着用者の歩行動作が継続されたときの様子について表している。着用者が左脚を後側に動かすことにより、左脚の動きに従って吸収性本体１０及び防漏壁部４０は、後側に引っ張られる。このとき、前側ベルト部２１は、後側ベルト部２２と同様に、着用者の腹側にフィットした状態に保たれ、位置ずれは生じ難い。したがって防漏壁部４０は、前側ベルト部２１に対して長手方向の後側（背側）に相対的に移動するように引っ張られ、着用者の左脚側に配置された前側接合部６１が剥離して、防漏壁部４０（起立部４３）と前側ベルト部２１との接合が解除される。
【００５９】
なお、前側接合部６１及び後側接合部６２は、一度の脚の動きだけで全体が剥離するとは限らないが、着用者が脚の前後運動（歩行）を継続することによって、完全に剥離させることができる。また、着用者の右脚側に配置されたに配置された接合部６０（６１，６２）も、左脚側に配置された接合部６０（６１，６２）と同様にして剥離させることができる。したがって、おむつ１の着用時において、着用者が接合部６０を剥離させるための動作を行わなかったとしても、接合部６０を自然に剥離させることが可能となる。これにより、防漏壁部４０をしっかりと起立させ、排泄物の横漏れ等を抑制することができる。
【００６０】
そして、おむつ１では、防漏壁部４０（起立部４３）と前側ベルト部２１とを接合する接合部６０が、剥離可能な接着材Ａ２によって形成されていることにより、上述の様に、起立部４３や前側ベルト部２１を損壊させることなく、両者を容易に離脱させることができる。また、接着材Ａ２の塗布範囲や塗布量、接着剤Ａ２自体のタック力等を変更することによって、接合部６０の接合強度を自在に調整することが可能である。これにより、接合部６０の剥離しやすさを調整することができる。
【００６１】
また、接合部６０は、図４に示されるように、展開状態のおむつ１の長手方向において、係止部２４の内側端２４ｂ（上下方向における下端）よりも、内側（上下方向における下側）に位置している。係止部２４の長手方向の内側端２４ｂは、着用者が脚を前後に動かす際の付け根となる位置であるため、仮に接合部６０が、長手方向において内側端２４ｂよりも外側（上下方向における上側）に位置している場合、図７で説明したような脚の動きによる力が接合部６０に伝わり難くなる。これに対して、本実施形態では、接合部６０が長手方向において内側端２４ｂよりも内側（上下方向における下側）に位置しているため、着用者の脚の動きが直接的に接合部６０に作用しやすい。したがって、おむつ１の着用後に、着用者が脚を動かすことによって、接合部６０を自然に剥離させやすくすることができる。
【００６２】
また、外装体２０（前側ベルト部２１及び後側ベルト部２２）は、少なくとも接合部６０が設けられている部分において、左右方向（幅方向）の伸縮性を有している。外装体２０が左右方向（幅方向）の伸縮性を有していることにより、おむつ１の着用時に、ベルト部２１，２２を着用者の胴回りにしっかりとフィットさせることができる。したがって、図７Ｂや図７Ｃで説明したように、吸収性本体１０（防漏壁部４０）が長手方向に引っ張られた場合であっても、ベルト部２１，２２の位置ずれが生じ難く、吸収性本体１０による長手方向の引っ張り力が接合部６０に作用しやすくなる。したがって、着用者の脚の動きによって、接合部６０を自然に剥離させやすくすることができる。
【００６３】
また、図４に示されるように、接合部６０の長手方向における長さＬ６０は、幅方向における長さ（幅）Ｗ６０よりも長くなっている（Ｌ６０＞Ｗ６０）。つまり、接合部６０は、長手方向に沿った縦長の形状を有している。本実施形態では、おむつ１を着用した状態で着用者が脚を前後に動かすことによって接合部６０を簡単に剥離できるようにしている。したがって、仮に、接合部６０の幅Ｗ６０が長さＬ６０よりも長い横長形状である場合、接合部６０に対して長手方向に引っ張る力が作用したとしても、抵抗が大きく、接合部６０が剥離し難くなるおそれがある。一方、本実施形態のように接合部６０の幅方向における長さＷ６０が短い縦長の形状であれば、接合部６０に対して長手方向に引っ張る力が作用したときに、長手方向の端部における抵抗が小さく、接合部６０が容易に剥がれ易くなる。すなわち、接合部６０が剥がれ始める起点が形成されやすくなり、着用者の脚の動きによって、接合部６０の全体を剥離させやすくすることができる。
【００６４】
また、図４に示されるように、長手方向において、接合部６０は、防漏壁弾性部材４１の伸縮性が発現している領域（防漏壁弾性部材４１の有効長範囲）と重複する位置に配置されている。すなわち、防漏壁弾性部材４１が発現している長手方向に沿った伸縮力が、接合部６０にも作用している。したがって、図７Ｂや図７Ｃのように、防漏壁部４０（及び吸収性本体１０）が、着用者の脚の前後運動によって長手方向に引っ張られる際に、防漏壁弾性部材４１による伸縮力（収縮力）が加わることで、接合部６０に対して長手方向に沿ったより大きな力が作用するようになる。これにより、接合部６０をより剥離させやすくすることができる。
【００６５】
また、接合部６０を剥離させたときに、防漏壁部４０の起立部４３側に付着している接着材Ａ２の単位面積当たりの量は、外装体２０側に付着している接着材Ａ２の単位面積当たりの量よりも多いことが望ましい。例えば、前側接合部６１を剥がしたときに、起立部４３において前側接合部６１が設けられていた部分に残留している接着材Ａ２の単位面積当たりの量が、前側ベルト部２１において前側接合部６１が設けられていた部分に残留している接着材Ａ２の単位面積当たりの量よりも多くなるようにする。
【００６６】
このような構成であれば、接合部６０を剥離させる際に、防漏壁部４０側の繊維が引き剥がされ難くなる。防漏壁部４０は、着用者の鼠蹊部と当接した状態で着用者の身体の動きに合わせて変形する部位であることから、着用者が身体を動かしたときに破れてしまうことがないように、ある程度の強度を有している必要がある。そこで、接合部６０を剥離させた際に、防漏壁部４０において引き剥がされる繊維量が、外装体２０において引き剥がされる繊維量よりも少なくなるようにして、防漏壁部４０の強度が低下することを抑制する。これにより、おむつ１の着用時において防漏壁部４０を破れ難くすることができる。
【００６７】
なお、接合部６０によって防漏壁部４０（起立部４３）と外装体２０とを接合する際には、防漏壁部４０（起立部４３）側に接着材Ａ２が塗布されるようにすると良い。このようにすれば、起立部４３を構成する液透過性シート１３ｂの繊維間に接着材Ａが染みこみやすく、接合部６０を剥離させたときに、起立部４３に残留する接着材Ａ２の単位面積当たりの量を大きくすることができる。ここで、防漏壁部４０または外装体２０に付着している単位面積当たりの接着剤Ａ２の量は、例えば、接着剤Ａ２が塗布される前の防漏壁部４０及び外装体２０の単位面積当たりの重量と、接合部６０を剥離させ後のおむつ１から切り出した防漏壁部４０及び外装体２０の単位面積当たりの重量とをそれぞれ比較することによって算出することができる。
【００６８】
また、接合部６０は、幅方向において、防漏壁部４０（起立部４３）の頂点部４０ｅｔと所定の距離を置いて設けられている。言い換えると、防漏壁部４０の頂点部４０ｅｔと接合部６０との間には所定の間隔が設けられている。例えば、図５では、接合部６０の幅方向における外側端６０ｅｏと、防漏壁部４０の頂点部４０ｅｔとの間に、距離Ｌ１が設けられている。接合部６０は、粘性を有する接着材Ａ２によって形成されるため、接合部６０が剥離された後でも、該接合部６０が設けられていた部分には多少のべたつきが残る。したがって、頂点部４０ｅｔと接合部６０との間に所定の距離（図５ではＬ１）を設けることにより、おむつ１の着用時に着用者の肌と接触する可能性の高い頂点部４０ｅｔをべたつき難くすることができる。これにより、着用者に不快感（べたつき）を感じさせ難くすることができる。
【００６９】
さらに、防漏壁部４０の頂点部４０ｅｔと接合部６０との間の距離が、防漏壁部４０の起立基部４０ｂと接合部６０との間の距離よりも長くなるようにすると良い。すなわち、接合部６０が頂点部４０ｅｔよりも起立基部４０ｂ寄りに設けられていると良い。このようにすれば、接合部６０を形成する接着材Ａ２が防漏壁部４０の頂点部４０ｅｔにより付着し難くなるため、頂点部４０ｅｔをべたつき難くすることができる。
【００７０】
なお、本実施形態では、防漏壁部４０（起立部４３）の先端側の一部分が折り曲げ線ｆ１にて幅方向の内側且つ厚さ方向の肌側に折り返されている。この場合、接合部６０は、幅方向において、折り曲げ線ｆ１と所定の距離を置いて設けられるようにすることが望ましい。すなわち、接合部６０は、幅方向において、折り曲げ線ｆ１の位置よりも防漏壁部４０の起立基部４０ｂ側に設けられていることが望ましい。例えば、図５では、接合部６０の幅方向における外側端６０ｅｏと、折り曲げ線ｆ１との間に、距離Ｌ２が設けられている。このようにすれば、防漏壁部４０の起立部４３のうち、折り曲げ線ｆ１よりも内側（且つ非肌側）の部分を外装体２０と接合（仮止め）して起立部４３が幅方向の内側に倒れてしまうこと等を抑制しつつ、接合部６０を構成する接着材Ａ２が防漏壁部４０の頂点部４０ｅｔに付着することを抑制することができる。
【００７１】
また、接合部６０の形状は以下のように変形しても良い。図８は、接合部６０の形状の変形例について表す概略平面図である。本変形例では、長手方向の一方側に配置されている接合部６０について、長手方向の一方側（すなわち、長手方向の外側）端における幅が、長手方向の他方側（すなわち、長手方向の内側）端における幅よりも短く（狭く）なるように、接合部６０が形成される。図８の例では、長手方向の前側に配置された前側接合部６１の幅方向における長さ（幅）Ｗ６１が、長手方向の前側（外側）ほど短くなった、所謂釣り鐘型の形状を有している。つまり、長手方向の前側端における幅Ｗ６１ｆが、長手方向の後側端における幅Ｗ６１ｂよりも狭くなっている（Ｗ６１ｆ＜幅Ｗ６１ｂ）。また、図８では示されていないが、長手方向において、後側に配置された後側接合部６２の幅Ｗ６２が、後側ほど細くなっていても良い。
【００７２】
図７で説明したように、接合部６０が剥離されるときには、接合部６０に対して長手方向の一方側から他方側に引っ張る力が作用する。例えば、図７Ｃにおいては、前側接合部６１を長手方向の前側から後側に引っ張る力が作用する。この場合、前側接合部６１の前側端における幅Ｗ６１ｆを短くしておくことで、前側端において前側接合部６１が剥がれやすくなる。すなわち、長手方向において前側接合部６１の前側端を後側に引っ張る力が作用した際に、前側端部が小さな力でも剥がれやすくなり、剥離の起点が形成されやすくなる。そして、前側端において、一旦剥離起点が形成されると、前側接合部６１は、前側から後側に向かって簡単に剥がれやすくなる。したがって、接合部６０の長手方向外側端における幅Ｗ６０ｆが、長手方向内側端における幅Ｗ６０ｂよりも短くなるように接合部６０を形成することによって、おむつ１の着用後に、接合部６０を自然に剥離させやすくすることができる。
【００７３】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【符号の説明】
【００７４】
１  おむつ（パンツ型使い捨ておむつ）、
１ａ  胴回り開口、１ｂ  脚回り開口、
１０  吸収性本体、
１１  吸収性コア、
１２  トップシート、
１３  バックシート、１３ａ  液不透過性シート、１３ｂ  液透過性シート、
２０  外装体、
２１  前側ベルト部（ベルト部）、
２２  後側ベルト部（ベルト部）、
２１１，２２１  胴回り領域、２１２，２２２  股下側領域、
２１３、２２３  肌側シート（第１非伸縮性シート、第２非伸縮性シート）、
２１４、２２４  非肌側シート（第１非伸縮性シート、第２非伸縮性シート）、
２１５、２２５  伸縮性不織布、
２３  股下部、
２４  係止部、２４ｂ  内側端、
３１  伸縮性フィルム、
４０  防漏壁部、４０ｂ  起立基部、４０ｅｔ  頂点部、
４１  防漏壁弾性部材、
４２  両端固定部、
４３  起立部、
５０  本体固定部、
６０  接合部、６０ｅｏ  外側端（幅方向）、
６１  前側接合部、
６２  後側接合部、
ｆ１  折り曲げ線
【図１】
2020103720.tif 000003
【図２】
2020103720.tif 000004
【図３】
2020103720.tif 000005
【図４】
2020103720.tif 000006
【図５】
2020103720.tif 000007
【図６】
2020103720.tif 000008
【図７】
2020103720.tif 000009
【図８】
2020103720.tif 000010